(57)【特許請求の範囲】
【請求項１】
マルチスクリーン端末は各ディスプレイの環境光線強度とこれに対応する光線入射角度を検出し、現在使用しているディスプレイおよび前記現在使用しているディスプレイと使用者の視点角度を取得し、
マルチスクリーン端末は、前記視点角度との差が最小となる光線入射角度に対応する環境光線強度が予め設定した値よりも大きいかどうかを判断し、予め設定した値よりも大きい場合、現在の視点角度に最も近い光線入射角度に対応する環境光線強度が予め設定した値以下であるとマルチスクリーン端末により判断するまで、各ディスプレイ間の開閉角度を調整する、
ディスプレイの開閉角度の調整方法。
【請求項２】
前記マルチスクリーン端末は少なくとも１つの光線センサーによって前記各ディスプレイの環境光線強度とこれに対応する光線入射角度を検出する請求項１に記載の調整方法。
【請求項３】
前記光線センサーは赤外線センサーまたはカラーセンサーである請求項２に記載の調整方法。
【請求項４】
前記マルチスクリーン端末は、カメラにより、前記現在使用しているディスプレイおよび前記現在使用しているディスプレイと使用者の視点角度を取得する請求項１に記載の調整方法。
【請求項５】
前記マルチスクリーン端末は、前記視点角度との差が最小となる光線入射角度に対応する環境光線強度が予め設定した値よりも大きいと前記マルチスクリーン端末により判断するステップの後かつ各ディスプレイ間の開閉角度を調整するステップの前に、前記現在使用しているディスプレイにおいて、各ディスプレイ間の開閉角度を調整する必要があるかどうかを提示する請求項１に記載の調整方法。
【請求項６】
各ディスプレイの環境光線強度とこれに対応する光線入射角度を検出し、現在使用しているディスプレイおよび現在使用しているディスプレイと使用者の視点角度を取得し、検出された環境光線強度と光線入射角度および取得された視点角度を処理モジュールに出力するように設けられた検出モジュールと、
前記視点角度との差が最小となる光線入射角度に対応する環境光線強度と予め設定した値の大きさを比較し、予め設定した値よりも大きい場合には、第１の通知を調整モジュールに送信し、予め設定した値以下である場合には、第２の通知を調整モジュールに送信するように設けられた処理モジュールと、
処理モジュールの第１の通知を受信すると、各ディスプレイ間の開閉角度を調整し、処理モジュールの第２の通知を受信すると、各ディスプレイ間の開閉角度の調整を停止するように設けられた調整モジュールと、
を備えるマルチスクリーン端末。
【請求項７】
前記検出モジュールは少なくとも１つの光線センサーによって前記各ディスプレイの環境光線強度とこれに対応する光線入射角度を検出する請求項６に記載のマルチスクリーン端末。
【請求項８】
前記光線センサーは赤外線センサーまたはカラーセンサーである請求項７に記載のマルチスクリーン端末。
【請求項９】
前記検出モジュールは、前記現在使用しているディスプレイおよび前記現在使用しているディスプレイと使用者の視点角度をカメラにより取得する請求項６に記載のマルチスクリーン端末。
【請求項１０】
前記処理モジュールは、前記対応する環境光線強度が前記予め設定した値よりも大きいと前記処理モジュールにより判断した後かつ前記第１の通知を前記調整モジュールに送信する前に、現在使用しているディスプレイにおいて、各ディスプレイ間の開閉角度を調整する必要があるかどうかを提示し、調整する必要がある場合、前記第１の通知を前記調整モジュールに送信する請求項６に記載のマルチスクリーン端末。
【発明の詳細な説明】
【技術分野】
【０００１】
本発明は通信技術分野に関し、特にディスプレイの開閉角度の調整方法およびマルチスクリーン端末に関する。
【背景技術】
【０００２】
スマート携帯端末の急速な発展に伴い、マルチディスプレイを有する携帯型スマート端末は多くなっている。マルチディスプレイを有する携帯型スマート端末を用いてアプリケーションの表示を行う場合、各ディスプレイは、同じ内容の異なる部分を表示することもできれば、異なる内容を表示することもでき、例えば、既存の２画面携帯端末（例えば、２画面携帯電話）では、使用者は、２つのディスプレイを独立して操作することができ、すなわち、ダブルスクリーンでそれぞれテレビを見たり、音楽を聞いたり、インターネットを利用して、ひとつの機器を多用することができる。
【０００３】
従来の携帯端末は強光環境下では、通常、スクリーンの輝度を上げることで表示効果を確保している。しかしながら、マルチスクリーン端末は１つにとどまらないスクリーンを表示し、自身の消費電力が大きいことから、依然としてスクリーンの輝度を上げて表示効果を確保すると、消費電力の問題がより深刻となる。
【発明の概要】
【０００４】
上記技術課題を解決するために、本発明の実施例は、ディスプレイの開閉角度の調整方法およびマルチスクリーン端末を提供し、マルチスクリーン端末の消費電力を増やさずにマルチスクリーン端末の表示効果を改善することができる。
【０００５】
本発明の目的を達成するために、本発明の実施例の技術案は次のように実現される。
本発明の実施例は、マルチスクリーン端末は各ディスプレイの環境光線強度とこれに対応する光線入射角度を検出し、現在使用しているディスプレイおよび前記現在使用しているディスプレイと使用者の視点角度を取得し、
マルチスクリーン端末は、前記視点角度との差が最小となる光線入射角度に対応する環境光線強度が予め設定した値よりも大きいかどうかを判断し、予め設定した値よりも大きい場合、現在の視点角度に最も近い光線入射角度に対応する環境光線強度が予め設定した値以下であるとマルチスクリーン端末により判断するまで、各ディスプレイ間の開閉角度を調整する、
ディスプレイの開閉角度の調整方法を提供する。
【０００６】
本発明の実施例は、
各ディスプレイの環境光線強度とこれに対応する光線入射角度を検出し、現在使用しているディスプレイおよび現在使用しているディスプレイと使用者の視点角度を取得し、検出された環境光線強度と光線入射角度および取得された視点角度を処理モジュールに出力するように設けられた検出モジュールと、
前記視点角度との差が最小となる光線入射角度に対応する環境光線強度と予め設定した値の大きさを比較し、予め設定した値よりも大きい場合には、第１の通知を調整モジュールに送信し、予め設定した値以下である場合には、第２の通知を調整モジュールに送信するように設けられた処理モジュールと、
処理モジュールの第１の通知を受信すると、各ディスプレイ間の開閉角度を調整し、処理モジュールの第２の通知を受信すると、各ディスプレイ間の開閉角度の調整を停止するように設けられた調整モジュールと、を備えるマルチスクリーン端末を更に提供する。
【０００７】
本発明の実施例において、上記実施例におけるディスプレイの開閉角度の調整方法の実現を実行するための実行指令を記憶することができる記憶媒体を更に提供する。
【０００８】
本発明の実施例の技術案は、本発明の実施例によるディスプレイの開閉角度の調整方法およびマルチスクリーン端末は、使用者が現在使用しているディスプレイとその他のディスプレイの開閉角度を調整することにより、現在の視点角度に最も近い光線入射角度に対応する環境光線強度を予め設定した値以下にし、更に使用者が感じるディスプレイの光の反射の程度を最小にし、従来技術のように強い光線の下で輝度を上げて消費電力を増加させて表示効果を確保しなければならないという欠点を克服し、マルチスクリーン端末の消費電力を増やさずにマルチスクリーン端末の表示効果を改善した、という有益な効果を有する。
【０００９】
ここで説明する図面は、本発明の更なる理解を提供するためのものであり、本願の一部を構成し、本発明の例示的な実施例及びその説明は、本発明を説明するためのものであり、本発明を不適切に限定するものではない。
【図面の簡単な説明】
【００１０】
【図１】図１は本発明の実施例におけるディスプレイの開閉角度の調整方法のフロー模式図である。
【図２】図２は本発明の実施例におけるマルチスクリーン端末の構造模式図である。
【図３】図３は本発明の好ましい実施例におけるダブルスクリーン携帯電話全体の構造模式図である。
【図４】図４は本発明の好ましい実施例における光線センサーの検出原理模式図である。
【発明を実施するための形態】
【００１１】
本発明の目的、技術案及び利点をより明確にするために、以下、図面を組み合わせて本発明の実施例について詳細に説明する。なお、本願における実施例および実施例における特徴は、矛盾しない場合、互いに任意に組み合わせることができる。
【００１２】
図１に示すように、本発明によるディスプレイの開閉角度の調整方法は、ステップ１０１、１０２を備える。
【００１３】
ステップ１０１：マルチスクリーン端末は各ディスプレイの環境光線強度とこれに対応する光線入射角度を検出し、現在使用しているディスプレイおよび前記現在使用しているディスプレイと使用者の視点角度を取得する。
【００１４】
また、前記マルチスクリーン端末は少なくとも１つの光線センサーによって各ディスプレイの環境光線強度とこれに対応する光線入射角度を検出する。
【００１５】
本発明の一実施例において、前記光線センサーは赤外線センサーまたはカラー（Ｒｅｄ  Ｇｒｅｅｎ  Ｂｌｕｅ，ＲＧＢ）センサーである。
【００１６】
また、前記マルチスクリーン端末カメラまたはその他の検出装置により現在使用しているディスプレイおよび前記現在使用しているディスプレイと使用者の視点角度を取得する。
【００１７】
なお、如何にして光線センサーによって各ディスプレイの環境光線強度とこれに対応する光線入射角度を検出するか、および如何にしてカメラまたはその他の検出装置によって現在使用しているディスプレイおよび前記現在使用しているディスプレイと使用者の視点角度を取得するかはいずれも本分野の従来技術に属し、本発明はこれを制限しない。
【００１８】
ステップ１０２：マルチスクリーン端末は、前記視点角度との差が最小となる光線入射角度に対応する環境光線強度が予め設定した値よりも大きいかどうかを判断し、予め設定した値よりも大きい場合、現在の視点角度に最も近い光線入射角度に対応する環境光線強度が予め設定した値以下であるとマルチスクリーン端末により判断するまで、各ディスプレイ間の開閉角度を調整する。
【００１９】
なお、前記予め設定した値は、端末の出荷前に予め設定されてもよいし、使用者によって設定されてもよい。現在使用しているディスプレイの反光度が小さいほど、又は、使用者が慣れている、現在使用しているディスプレイとの距離が近いほど、使用者が感じる反光度が小さくなり、前記予め設定した値を大きく設定してもよい。前記端末の各ディスプレイ間にはモータの設けられた回転軸が設けられ、モータの回転を制御することで各ディスプレイ間の開閉角度を調整する。
【００２０】
また、前記ステップ１０２において、前記マルチスクリーン端末は、前記視点角度との差が最小となる光線入射角度に対応する環境光線強度が予め設定した値よりも大きいと前記マルチスクリーン端末により判断するステップの後かつ各ディスプレイ間の開閉角度を調整するステップの前に、現在使用しているディスプレイにおいて、各ディスプレイ間の開閉角度を調整する必要があるかどうかを提示する。
【００２１】
図２に示すように、本発明によるマルチスクリーン端末は、
各ディスプレイの環境光線強度とこれに対応する光線入射角度を検出し、現在使用しているディスプレイおよび現在使用しているディスプレイと使用者の視点角度を取得し、検出された環境光線強度と光線入射角度および取得された視点角度を処理モジュール２０２に出力するように設けられた検出モジュール２０１と、
前記視点角度との差が最小となる光線入射角度に対応する環境光線強度と予め設定した値の大きさを比較し、予め設定した値よりも大きい場合には、第１の通知を調整モジュール２０３に送信し、予め設定した値以下である場合には、第２の通知を調整モジュール２０３に送信するように設けられた処理モジュール２０２と、
処理モジュール２０２の第１の通知を受信すると、各ディスプレイ間の開閉角度を調整し、処理モジュール２０２の第２の通知を受信すると、各ディスプレイ間の開閉角度の調整を停止するように設けられた調整モジュール２０３と、
を備える。
【００２２】
また、検出モジュール２０１は、少なくとも１つの光線センサーによって各ディスプレイの環境光線強度とこれに対応する光線入射角度を検出する。
【００２３】
本発明の一実施例において、前記光線センサーは、赤外線センサーまたはカラー（ＲＧＢ）センサーである。
【００２４】
また、検出モジュール２０１はカメラにより現在使用しているディスプレイおよび前記現在使用しているディスプレイと使用者の視点角度を取得する。
【００２５】
また、前記処理モジュール２０２は、前記対応する環境光線強度が前記予め設定した値よりも大きいと前記処理モジュール２０２により判断した後かつ第１の通知を調整モジュール２０３に送信する前に、現在使用しているディスプレイにおいて、各ディスプレイ間の開閉角度を調整する必要があるかどうかを提示し、調整する必要がある場合、第１の通知を前記調整モジュール２０３に送信する。
【００２６】
以下、本発明のディスプレイの開閉角度の調整方法及び端末を如何に応用するか、好適な実施例を用いて説明する。なお、以下の好適な実施形態は、本発明をより良く説明するためのものにすぎず、本発明を不当に限定するものではない。
【００２７】
図３に示すように、左右方向に０度から１８０度まで折り畳むことができるダブルスクリーン携帯端末において、３０１は、環境光線強度と光線入射角度を検出するセンサーおよび使用者が現在使用しているディスプレイと視点角度を検出するカメラが設けられたサブスクリーンとして定義され、３０３は、環境光線強度と光線入射角度を検出するセンサーおよび使用者が現在使用しているディスプレイと視点角度を検出するカメラが設けられたメインスクリーンとして定義され、３０２は、メインスクリーンとサブスクリーンの各機能を接続し、端末のディスプレイを自動的に回転させるモータが設けられた接続装置として定義されている。
【００２８】
図４に示すように、メインスクリーンとサブスクリーンは赤外線またはＲＧＢなどの光線類のセンサー検出を採用し、現在のメインスクリーンとサブスクリーンの光線強度と光線入射分布をリアルタイムで採集する。
【００２９】
具体的には、実際の使用環境では、光線の入射が複雑であり、通常、図４に示すように、複数の角度で複数の強度の光線が混じり合っている。本実施例はリスト最適値法を例示し、表１に示すように、各レベルの光線の入射角度を、高い方から低い方へ、光強度または照度レベルの配列により記録する。
【００３０】
【表１】
0006903813.tif 000002
【００３１】
なお、光照射強度とは、単位面積における可視光の受光量を指す物理用語であり、光強度または照度と略称され、単位はルクス（ＬｕｘまたはＬｘ）であり、光照射の強度と物体表面の照明の程度を示す量である。
【００３２】
メインスクリーンとサブスクリーンのカメラを開けて、使用者の両眼と端末の相対位置を採集し、使用者が現在使用しているディスプレイおよび前記ディスプレイと使用者の視点角度を取得し、人の目がどのレベルの光線の反射範囲にあるかを判断する。使用者が現在使用しているディスプレイと使用者の視点角度を４０°とすると、現在の視点角度に最も近い入射角度は４８度となり、すなわち、人の目の光強度レベルは、表２に示すように、レベル２である。
【００３３】
【表２】
0006903813.tif 000003
【００３４】
レベル２の光強度を予め設定した値と比較して、現在使用者が感じているスクリーン表面の光の反射を判断する。通常、携帯電話のディスプレイの材質の違いや使用者の使用習慣の違い（例えば、使用者の目のディスプレイからの遠近距離の違い、感じた光の反射の違い）によっても、前記予め設定した値は異なる値となるが、例えば、前記予め設定した値を８００ルクスから１０００ルクスの間としてもよい。具体的には、表２に示すように、３０００ルクスであるレベル２の光量内で、前記予め設定した値よりも大きい場合、使用者が顕著な光の反射を感じたと判断し、改善する必要がある。
【００３５】
上記採集したデータと上記判断に基づいて、より優れた姿勢を算出し、より優れた姿勢は、スクリーンの明るさを増やすことなくより良い表示効果を取得することを指す。
【００３６】
具体的には、より優れた姿勢を判断する目的は、表３に示すように、人の目がより低い光強度または照度レベルにあるようにすることである。現在の姿勢とより優れた姿勢との間の姿勢の差、例えば、最も重要な開閉角度を算出する。
【００３７】
【表３】
0006903813.tif 000004
【００３８】
使用者が選択するために、幾つかの好適な技術案を使用者へ提供する。例えば、現在のディスプレイとその他のディスプレイの開閉角度を自動的に調整することで、輝度や消費電力を増やさずにより良い表示効果を有することができるかどうかを提示する。
【００３９】
使用者は、現在のディスプレイとその他のディスプレイとの開閉角度を自動的に調整することを選択する場合、
目標開閉角度を確定し、その算出方法は上記から得られ、現在の開閉角度を検出し、目標開閉角度との差を確定し、現在のディスプレイの開閉角度を自動的に調整するようモータを制御し、最終的に目標開閉角度に到達させる。
【００４０】
本発明によるディスプレイの開閉角度の調整方法およびマルチスクリーン端末は、使用者が現在使用しているディスプレイとその他のディスプレイの開閉角度を調整することにより、現在の視点角度に最も近い光線入射角度に対応する環境光線強度を予め設定した値以下にし、更に使用者が感じるディスプレイの光の反射の程度を最小にし、従来技術のように強い光線の下で輝度を上げて消費電力を増加させて表示効果を確保しなければならないという欠点を克服し、マルチスクリーン端末の消費電力を増やさずにマルチスクリーン端末の表示効果を改善した。
【００４１】
本願に記載の技術案は、有線デバイス又は無線端末に限定されず、産業制御表示端末、携帯製品又は他の車載テレビデバイスであってもよく、信頼性が高く、コストが安い。
【００４２】
当業者は、上記の方法におけるステップの全て又は一部は、読み取り専用メモリ、磁気ディスク、又は光ディスク等のコンピュータ読み取り可能な記憶媒体に記憶され得るプログラムによって、関連ハードウェアに指令しこれらを完成できることを理解できる。代替として、上述の実施例のステップの全部または一部は、１つまたは複数の集積回路を使用して実現することもでき、対応して、上述実施例における各モジュール/ユニットは、ハードウェアの形で実現することもできれば、ソフトウェア機能モジュールの形で実現することもできる。本発明は、ハードウェアとソフトウェアの組み合わせの特定の形態に限定されない。
【００４３】
以上は、本発明の好適な実施例に過ぎず、本発明を限定するものではなく、当業者にとって本発明の様々な変更及び変形が可能である。本発明の趣旨及び原則の範囲内で行われるあらゆる修正、均等置換、改善等はいずれも、本発明の請求範囲内に含まれるべきである。
【産業上の利用可能性】
【００４４】
本発明の実施例によるディスプレイの開閉角度の調整方法およびマルチスクリーン端末は、使用者が現在使用しているディスプレイとその他のディスプレイの開閉角度を調整することにより、現在の視点角度に最も近い光線入射角度に対応する環境光線強度を予め設定した値以下にし、更に使用者が感じるディスプレイの光の反射の程度を最小にし、従来技術のように強い光線の下で輝度を上げて消費電力を増加させて表示効果を確保しなければならないという欠点を克服し、マルチスクリーン端末の消費電力を増やさずにマルチスクリーン端末の表示効果を改善した。
【図１】
0006903813.tif 000005
【図２】
0006903813.tif 000006
【図３】
0006903813.tif 000007
【図４】
0006903813.tif 000008